(57)【要約】【課題】蓄電池にどの供給源の電力が、どれだけ蓄電されているのかを把握することができる電力供給システムの蓄電池電力供給源監視装置を提供する。【解決手段】コントロールユニット７には、蓄電池電力供給源管理システム４８のコントロールユニットとして制御回路５３が設けられている。制御回路５３は、電力検出部４９〜５２から取得する検出値を基に、系統２や太陽電池３から取得する入力電力や、ＤＣ機器５又はＡＣ機器６に供給する出力電力や、蓄電池４３に蓄積される蓄電池電力Ｗｂなどを算出する。演算制御部５５は、蓄電池４３が充放電するに際し、蓄電池４３内の電力がどの供給源からのものがどれだけ蓄積されているのかを逐次記録して保持する。【選択図】図２
2011083058.tif 000002
【特許請求の範囲】
【請求項１】
系統又は自立発電電池から得た電圧を電圧変換しつつ同電圧を分岐させて各機器に供給し、前記系統又は前記自立発電電池のバックアップ用電源として蓄電池を搭載した電力供給システムの蓄電池電力供給源監視装置において、
前記蓄電池に対する電力の入出力を監視する監視手段と、
前記蓄電池にどの供給源からの電力がどれだけ蓄積されているのかを管理する電力供給源管理手段と
を備えたことを特徴とする電力供給システムの蓄電池電力供給源監視装置。
【請求項２】
前記自立発電電池による発電電力のうち、システムにおいて余った余剰電力がどれだけかを算出する自発電力残量算出手段と、
前記余剰電力を前記系統に逆調する電力逆調手段と
を備えたことを特徴とする請求項１に記載の電力供給システムの蓄電池電力供給源監視装置。
【請求項３】
前記蓄電池に蓄えられた電力のうち前記自立発電電池を供給源とする電力を、前記系統に逆調することを許可する逆調許可手段を備えたことを特徴とする請求項１又は２に記載の電力供給システムの蓄電池電力供給源監視装置。
【発明の詳細な説明】
【技術分野】
【０００１】
本発明は、蓄電池に蓄積された電力の各供給源を管理する電力供給システムの蓄電池電力供給源監視装置に関する。
【背景技術】
【０００２】
住宅には、商用電源のＡＣ電圧をＤＣ電圧に変換して宅内の各種機器に供給する電力供給システム（特許文献１等参照）が設けられている。近年の電力供給システムの中には、太陽光による発電によって電力を生成する太陽電池を設け、商用電源のみならず、太陽電池でも各種機器にＤＣ電力が可能なものも普及し始めてきている。また、電力供給システムには、同システムのバックアップ用電源として蓄電池が設けられたものもあり、料金の安い夜間の商用電源や、昼間に余分に太陽光により発電することができた電力を蓄電池に蓄えておくことが可能となっている。
【先行技術文献】
【特許文献】
【０００３】
【特許文献１】特開２００９−１５９６９０号公報
【発明の概要】
【発明が解決しようとする課題】
【０００４】
ところで、蓄電池には、料金が易い夜間の商用電源や、或いは昼間の発電の際に余った太陽電池の電力など、複数の供給源から電力が蓄電される。しかし、現状は、蓄電池に蓄えられた電力がどの供給源（ソース）から得たものかまで知ることができない。今後は、蓄電池にどの供給源の電力が、どれだけ蓄電されているのかを知りたいというニーズが出てくることも想像されることから、この要求に対応できる新たな技術の開発が要望されていた。
【０００５】
本発明の目的は、蓄電池にどの供給源の電力が、どれだけ蓄電されているのかを把握することができる電力供給システムの蓄電池電力供給源監視装置を提供することにある。
【課題を解決するための手段】
【０００６】
前記問題点を解決するために、本発明では、系統又は自立発電電池から得た電圧を電圧変換しつつ同電圧を分岐させて各機器に供給し、前記系統又は前記自立発電電池のバックアップ用電源として蓄電池を搭載した電力供給システムの蓄電池電力供給源監視装置において、前記蓄電池に対する電力の入出力を監視する監視手段と、前記蓄電池にどの供給源からの電力がどれだけ蓄積されているのかを管理する電力供給源管理手段とを備えたことを要旨とする。
【０００７】
この構成によれば、蓄電池に電力が充電される際、どの供給源からのものがどれだけ入力されたかが監視されるとともに、蓄電池から電力が出力される際、どの供給源から蓄電したものがどれだけ出ていくかが監視される。よって、本構成は蓄電池の電力について入出力が管理されるので、蓄電池にどの供給源からの電力が、どれだけ蓄電されているのかを把握することが可能となる。このため、蓄電池に蓄積されている電力の供給源が、電力会社から購入したものか、或いは自然エネルギーによるものなのかを把握することが可能となり、結果として省エネルギー意識を向上することが可能となる。
【０００８】
本発明では、前記自立発電電池による発電電力のうち、システムにおいて余った余剰電力がどれだけかを算出する自発電力残量算出手段と、前記余剰電力を前記系統に逆調する電力逆調手段とを備えたことを要旨とする。
【０００９】
この構成によれば、自立発電電池の発電電力を負荷に放電する際、システムにおいて余った余剰電力を系統側に逆調可能であるので、自立発電の電力の残りを売電することが可能である。よって、例えば料金の安い夜間に蓄電池に電力を溜めておき、これを料金の高い昼間に売電することが不可となるので、売ってもよい電力を正規の手続きを以て電力会社等に売電することが可能となる。
【００１０】
本発明では、前記蓄電池に蓄えられた電力のうち前記自立発電電池を供給源とする電力を、前記系統に逆調することを許可する逆調許可手段を備えたことを要旨とする。
この構成によれば、蓄電池に蓄えられた電力のうち自立発電電池を供給源とするものが売電可能となるので、自らが発電した不正売電の対象とはならない電力を、電力会社が電力を欲する好適な時間帯に売電することが可能となる。
【発明の効果】
【００１１】
本発明によれば、蓄電池にどの供給源の電力が、どれだけ蓄電されているのかを把握することができる。
【図面の簡単な説明】
【００１２】
【図１】一実施形態における電力供給システムの構成を示すブロック図。
【図２】蓄電池電力供給源管理システムの構成を示す構成図。
【図３】昼間時のシステムの動作状態を示す概念図。
【図４】動作状態通知画面の画面図。
【図５】太陽光発電電力の余剰分を売電するときの動作状態を示す概念図。
【図６】夜間時のシステムの動作状態を示す概念図。
【図７】同じく夜間時のシステムの動作状態を示す概念図。
【図８】蓄電池の電池残量が大きく低下した際の状態を示す概念図。
【図９】系統から蓄電池に充電を行う際の動作状態を示す概念図。
【発明を実施するための形態】
【００１３】
以下、本発明の電力供給システムの蓄電池電力供給源監視装置を住宅に具体化した一実施形態を図１〜図９に従って説明する。
図１に示すように、住宅には、宅内に設置された各種機器（照明機器、エアコン、家電、オーディオビジュアル機器等）に電力を供給する電力供給システム１が設けられている。電力供給システム１は、系統２から得る商用交流電源（ＡＣ電源）を電力として各種機器を動作させる他に、太陽光により発電する太陽電池３の電力も各種機器に電源として供給する。太陽電池３は、例えば複数のセル４から構成されている。電力供給システム１は、直流電源（ＤＣ電源）を入力して動作するＤＣ機器５の他に、交流電源（ＡＣ電源）を入力して動作するＡＣ機器６にも電力を供給する。なお、太陽電池３が自立発電電池に相当し、ＤＣ機器５及びＡＣ機器６が負荷を構成する。
【００１４】
電力供給システム１には、同システム１の分電盤としてコントロールユニット７及びＤＣ分電盤（直流ブレーカ内蔵）８が設けられている。また、電力供給システム１には、住宅のＤＣ機器５の動作を制御する機器として制御ユニット９及びリレーユニット１０が設けられている。
【００１５】
コントロールユニット７には、交流電源を分岐させるＡＣ分電盤１１が交流系電力線１２を介して接続されている。コントロールユニット７は、このＡＣ分電盤１１を介して系統２に接続されるとともに、直流系電力線１３を介して太陽電池３に接続されている。コントロールユニット７は、ＡＣ分電盤１１から交流電力を取り込むとともに太陽電池３から直流電力を取り込み、これら電力を機器電源として所定の直流電力に変換する。そして、コントロールユニット７は、この変換後の直流電力を、直流系電力線１４を介してＤＣ分電盤８に出力したり、又は直流系電力線１５を介して蓄電池ユニット１６に出力して同電力を蓄電したりする。コントロールユニット７は、ＡＣ分電盤１１から交流電力を取り込むのみならず、太陽電池３や蓄電池ユニット１６の電力を交流電力に変換してＡＣ分電盤１１に供給することも可能である。コントロールユニット７は、信号線１７を介してＤＣ分電盤８とデータやり取りを実行する。
【００１６】
ＤＣ分電盤８は、直流電力対応の一種のブレーカである。ＤＣ分電盤８は、コントロールユニット７から入力した直流電力を分岐させ、その分岐後の直流電力を、直流系電力線１８を介して制御ユニット９に出力したり、直流系電力線１９を介してリレーユニット１０に出力したりする。また、ＤＣ分電盤８は、信号線２０を介して制御ユニット９とデータやり取りをしたり、信号線２１を介してリレーユニット１０とデータをやり取りしたりする。
【００１７】
制御ユニット９には、複数のＤＣ機器５，５…が接続されている。これらＤＣ機器５は、直流電力及びデータの両方を１対の線によって搬送可能な直流供給線路２２を介して制御ユニット９と接続されている。直流供給線路２２は、ＤＣ機器の電源となる直流電圧に、高周波の搬送波によりデータを電送する通信信号を重畳する、いわゆる電力線搬送通信により、１対の線で電力及びデータの両方をＤＣ機器５に搬送する。制御ユニット９は、直流系電力線１８を介してＤＣ機器５の直流電源を取得し、ＤＣ分電盤８から信号線２０を介して得る動作指令を基に、どのＤＣ機器５をどのように制御するのかを把握する。そして、制御ユニット９は、指示されたＤＣ機器５に直流供給線路２２を介して直流電圧及び動作指令を出力し、ＤＣ機器５の動作を制御する。
【００１８】
制御ユニット９には、宅内のＤＣ機器５の動作を切り換える際に操作するスイッチ２３が直流供給線路２２を介して接続されている。また、制御ユニット９には、例えば赤外線リモートコントローラからの発信電波を検出するセンサ２４が直流供給線路２２を介して接続されている。よって、ＤＣ分電盤８からの動作指示のみならず、スイッチ２３の操作やセンサ２４の検知によっても、直流供給線路２２に通信信号を流してＤＣ機器５が制御される。
【００１９】
リレーユニット１０には、複数のＤＣ機器５，５…がそれぞれ個別の直流系電力線２５を介して接続されている。リレーユニット１０は、直流系電力線１９を介してＤＣ機器５の直流電源を取得し、ＤＣ分電盤８から信号線２１を介して得る動作指令を基に、どのＤＣ機器５を動作させるのかを把握する。そして、リレーユニット１０は、指示されたＤＣ機器５に対し、内蔵のリレーにて直流系電力線２５への電源供給をオンオフすることで、ＤＣ機器５の動作を制御する。また、リレーユニット１０には、ＤＣ機器５を手動操作するための複数のスイッチ２６が接続されており、スイッチ２６の操作によって直流系電力線２５への電源供給をリレーにてオンオフすることにより、ＤＣ機器５が制御される。
【００２０】
ＤＣ分電盤８には、例えば壁コンセントや床コンセントの態様で住宅に建て付けられた直流コンセント２７が直流系電力線２８を介して接続されている。この直流コンセント２７にＤＣ機器のプラグ（図示略）を差し込めば、同機器に直流電力を直接供給することが可能である。
【００２１】
また、系統２とＡＣ分電盤１１との間には、系統２の使用量を遠隔検針可能な電力メータ２９が接続されている。電力メータ２９には、商用電源使用量の遠隔検針の機能のみならず、例えば電力線搬送通信や無線通信の機能が搭載されている。電力メータ２９は、電力線通信や無線通信等を介して検針結果を電力会社等に送信する。
【００２２】
電力供給システム１には、宅内の各種機器をネットワーク通信によって制御可能とするネットワークシステム３０が設けられている。ネットワークシステム３０には、同システム３０のコントロールユニットとして宅内サーバ３１が設けられている。宅内サーバ３１は、インターネットなどのネットワークＮを介して宅外の管理サーバ３２と接続されるとともに、信号線３３を介して宅内機器３４に接続されている。また、宅内サーバ３１は、ＤＣ分電盤８から直流系電力線３５を介して取得する直流電力を電源として動作する。
【００２３】
宅内サーバ３１には、ネットワーク通信による宅内の各種機器の動作制御を管理するコントロールボックス３６が信号線３７を介して接続されている。コントロールボックス３６は、信号線１７を介してコントロールユニット７及びＤＣ分電盤８に接続されるとともに、直流供給線路３８を介してＤＣ機器５を直接制御可能である。コントロールボックス３６には、例えば使用したガス量や水道量を遠隔検針可能なガス／水道メータ３９が接続されるとともに、ネットワークシステム３０の操作パネル４０に接続されている。操作パネル４０には、例えばドアホン子器やセンサやカメラからなる監視機器４１が接続されている。
【００２４】
宅内サーバ３１は、ネットワークＮを介して宅内の各種機器の動作指令を入力すると、コントロールボックス３６に指示を通知して、各種機器が動作指令に準じた動作をとるようにコントロールボックス３６を動作させる。また、宅内サーバ３１は、ガス／水道メータ３９から取得した各種情報を、ネットワークＮを通じて管理サーバ３２に提供可能であるとともに、監視機器４１で異常検出があったことを操作パネル４０から受け付けると、その旨もネットワークＮを通じて管理サーバ３２に提供する。
【００２５】
図２に示すように、コントロールユニット７には、太陽電池３と繋がるＤＣ／ＤＣコンバータ４２が設けられている。ＤＣ／ＤＣコンバータ４２は、太陽電池３からの直流電圧を所定値に変換し、変換後の直流電圧をＤＣ分電盤８や蓄電池ユニット１６に出力する。ＤＣ分電盤８に出力された直流電力は、機器電源としてＤＣ機器５に供給される。また、蓄電池ユニット１６に出力された直流電力は、蓄電池ユニット１６内の蓄電池４３に蓄電される。
【００２６】
コントロールユニット７には、ＡＣ分電盤１１に繋がる双方向ＡＣ／ＤＣコンバータ４４が設けられている。双方向ＡＣ／ＤＣコンバータ４４は、系統２から取得した交流電力を直流電力に変換してＤＣ分電盤８や蓄電池ユニット１６に出力したり、これとは逆に例えば太陽電池３から取得した直流電力を交流電力に変換してＡＣ分電盤１１に供給したりする。
【００２７】
ＤＣ分電盤８には、ＤＣ／ＤＣコンバータ４２及び双方向ＡＣ／ＤＣコンバータ４４に繋がるＤＣ／ＤＣコンバータ４５が接続されている。ＤＣ／ＤＣコンバータ４５は、コントロールユニット７から取得した直流電圧を所定値に変換し、ブレーカ４６，４６…を介して各種ＤＣ機器５に出力する。
【００２８】
蓄電池ユニット１６には、同ユニット１６において入出力する直流電圧を所定値に変換するＤＣ／ＤＣコンバータ４７が設けられている。このＤＣ／ＤＣコンバータ４７は、コントロールユニット７から入力する直流電圧で蓄電池４３を充電する際、この電圧を所定値に変換したり、或いは蓄電池４３の直流電圧をコントロールユニット７に出力する際、この電圧を所定値に変換したりする。また、ＤＣ／ＤＣコンバータ４７は、自身に流れる放電電流を、入力電圧を基にして適宜切り換え可能となっている。
【００２９】
電力供給システム１には、蓄電池４３に蓄電されている電力がどの供給源から得たものなのかを管理する蓄電池電力供給源管理システム４８が設けられている。本例の場合、電力供給システム１のシステム電源が系統２及び太陽電池３となっているので、蓄電池４３には系統２及び太陽電池３を供給源とした電力が蓄電される。このため、蓄電池電力供給源管理システム４８は、蓄電池４３に系統電力Ｗall及び太陽光発電電力Ｗｖがそれぞれどれだけ蓄電されているのかを管理する。なお、太陽光発電電力Ｗｖが発電電力に相当する。
【００３０】
この場合、ＡＣ分電盤１１には、系統電力Ｗallを検出する系統電力検出部４９が設けられている。また、コントロールユニット７には、ＤＣ／ＤＣコンバータ４２から出力される電力（以降、太陽光発電電力Ｗｖと記す）を検出する太陽光発電電力検出部５０と、双方向ＡＣ／ＤＣコンバータ４４で入出力される電力（以降、双方向ＡＣ／ＤＣ電力Ｗｓと記す）を検出する双方向ＡＣ／ＤＣ電力検出部５１と、ＤＣ機器５に使用される電力（以降、ＤＣ使用電力Ｗｃと記す）を検出するＤＣ使用電力検出部５２とが設けられている。なお、電力検出部４９〜５２が監視手段を構成する。
【００３１】
コントロールユニット７には、蓄電池電力供給源管理システム４８のコントロールユニットとして制御回路５３が設けられている。制御回路５３は、各電力検出部４９〜５２と繋がり、これら電力検出部４９〜５２から取得する検出値を基に、系統２や太陽電池３から取得する入力電力や、ＤＣ機器５又はＡＣ機器６に供給する出力電力や、蓄電池４３に蓄積される蓄電池電力Ｗｂなどを算出する。
【００３２】
制御回路５３には、各電力検出部４９〜５２から出力される検出信号を収集する計測データ収集部５４が設けられている。計測データ収集部５４は、各電力検出部４９〜５２から、図２の矢印方向を正方向とした極性で電力を収集する。
【００３３】
制御回路５３には、計測データ収集部５４からの検出信号を基に、各種電力Ｗall，Ｗｖ，Ｗｓ，Ｗｃを演算する演算制御部５５が設けられている。演算制御部５５は、系統電力検出部４９からの検出信号を基に系統電力Ｗallを、太陽光発電電力検出部５０からの検出信号を基に太陽光発電電力Ｗｖを、双方向ＡＣ／ＤＣ電力検出部５１からの検出信号を基に双方向ＡＣ／ＤＣ電力Ｗｓを、ＤＣ使用電力検出部５２の検出信号を基にＤＣ使用電力Ｗｃを各々把握する。また、ＡＣ機器６に使用される電力（ＡＣ使用電力Ｗac）は、系統電力Ｗallから双方向ＡＣ／ＤＣ電力Ｗｓを減算することにより算出される。なお、計測データ収集部５４及び演算制御部５５が電力供給源管理手段を構成する。
【００３４】
演算制御部５５は、これら電力Ｗall，Ｗｖ，Ｗｓ，Ｗｃ，Ｗacを基に、蓄電池４３に供給される蓄電池電力Ｗｂを算出する。なお、太陽電池３による蓄電池電力Ｗb1は、次式（Ａ）により算出され、系統２による蓄電池電力Ｗb2は、次式（Ｂ）により算出される。但し、式（Ａ）は、太陽光発電による蓄電池４３への充電の際、双方向ＡＣ／ＤＣ電力Ｗｓの計測極性はマイナスであることを条件としている。また、式（Ｂ）は、太陽光発電電力Ｗｖを「０」としている。
【００３５】
【数１】
2011083058.tif 000003
演算制御部５５は、蓄電池４３へ電力を充電するに際して、その蓄電池電力Ｗｂがどの供給源から得たものなのかを把握し、蓄電池４３にどの供給源からのものがどれだけ入っているのかを算出する。例えば、蓄電池４３の使用可能容量を充電できる最大の100％とすると、これに対して、系統電力Ｗall及び太陽光発電電力Ｗｖが、それぞれ何％蓄えられているのかが認識される。演算制御部５５は、蓄電池４３から電力が放電される際も、どの供給源からの電力がどれだけ放電されたのかを把握する。そして、演算制御部５５は、蓄電池４３の残量記録をメモリ５６に書き込んで保持し、蓄電池４３の電力供給源の確認を行う度に保持値を更新する。なお、メモリ５６が電力供給源管理手段を構成する。
【００３６】
制御回路５３には、太陽光発電電力Ｗｖのうち電力供給システム１で使用されなかった残りの電力量を算出する自発電力残量算出部５７が設けられている。この自発電力残量算出部５７は、太陽光発電電力Ｗｖのうち、蓄電池４３への充電の際に消費する電力量（以降、充電電力Ｗｊ（図３参照）と記す）と、ＤＣ機器５やＡＣ機器６に動作電源として供給する電力量（以降、負荷総電力Ｗad（図３，図５参照）と記す）と、を差し引いた量、即ち余剰電力Ｗov（図５参照）がどれだけかを算出する。なお、自発電力残量算出部５７が自発電力残量算出手段に相当する。
【００３７】
図２に示すように、制御回路５３には、太陽光発電電力Ｗｖや蓄電池電力Ｗｂを系統２に逆調して売電する売電実行部５８が設けられている。売電実行部５８は、太陽光発電電力Ｗｖのうち電力供給システム１で消費されなかった余剰電力Ｗovや、蓄電池４３内の電力の中の太陽光発電電力Ｗｖを、系統２に流して売電する。売電実行部５８は、蓄電池４３の電力を売電する際、メモリ５６を参照することにより、蓄電池４３内に太陽光発電電力Ｗｖによる電力がどれだけ蓄積されているのかを確認する。売電実行部５８が電力逆調手段及び逆調許可手段を構成する。
【００３８】
制御回路５３には、電力供給システム１の動作状態を表示部５９に表示する表示制御部６０が設けられている。表示制御部６０は、蓄電池４３内にどの供給源のものがどれだけ入っているか、系統２や太陽電池３からの電力が各種機器５，６にどれだけ流れているのか、電力供給システム１の電力がどれだけ売電されているのかなどを表示部５９に視覚表示する。これらの表示は、視覚的にイメージし易いように、例えば絵柄等で表示される。また、表示部５９は、例えばカラー液晶からなるとともに、例えば宅内に設置される。
【００３９】
次に、本例の電力供給システム１の動作を図３〜図９に従って説明する。
まず、図３に示すように、昼間において太陽光発電が可能で、かつ蓄電池４３がある程度消費されている場合に、太陽光発電電力ＷｖでＤＣ機器５及びＡＣ機器６を動作させる状況を想定する。このとき、蓄電池４３の空き領域を埋めるのに必要な充電電力Ｗｊと、これら機器５，６を動作させるのに必要な負荷総電力Ｗadとの電力和（以降、総和電力Ｗｋと記す）より、太陽光発電電力Ｗｖの方が小さければ、太陽光発電電力Ｗｖは全て蓄電池４３及びこれら機器５，６に消費される。なお、太陽光発電電力Ｗｖが足りない場合には、系統電力Ｗallにより補助する。
【００４０】
このとき、演算制御部５５は、蓄電池４３にどれだけの量の太陽光発電電力Ｗｖが蓄積されたのかを把握し、これをメモリ５６に保持する。よって、蓄電池４３には、どの供給源からの電力がどれだけ蓄積されているか、つまり蓄電池４３の容量内に、太陽光発電電力Ｗｖ及び系統電力Ｗallが各々何％ずつ蓄積されているのかが確認される。
【００４１】
また、表示制御部６０は、電力供給システム１の動作状態を、図４に示すような動作状態通知画面６１によって表示部５９に表示する。この動作状態通知画面６１には、蓄電池４３内にどの供給源のものがどれだけ入っているのかを通知する蓄電池４３の残量表示６２や、太陽電池３（系統２）からの電力がどれだけ機器５，６に送られ、どれだけ系統２に売電されているかのエネルギー流れ表示６３が映し出される。エネルギー流れ表示６３は、例えば矢印の太さによって電力の大きさが通知される。
【００４２】
ここで、図５に示すように、例えば蓄電池４３が満充電になったり、或いは使用する機器５，６が減ったりして、太陽光発電電力Ｗｖが総和電力Ｗｋよりも大きくなったとする。自発電力残量算出部５７は、この太陽光発電電力Ｗｖが総和電力Ｗｋよりも大きくなったことを確認すると、これら２値の差分（余剰電力Ｗov）と売電許可通知とを売電実行部５８に出力する。売電実行部５８は、自発電力残量算出部５７からの通知を基に、余剰電力Ｗovを系統２に逆調して売電する。即ち、「Ｗｖ＞Ｗｓ＋Ｗｂ＋Ｗｃ」の関係が成り立つ際、余剰電力Ｗovとして「Ｗｖ−Ｗｓ−Ｗｂ−Ｗｃ」を逆調する。
【００４３】
続いて、図６に示すように、例えば夜間において、蓄電池４３の容量が充分にある状態で、蓄電池４３から各種機器５，６への電力供給能力が充分ある場合、蓄電池４３内の太陽光発電電力Ｗｖ分のみを系統２に逆調して売電する。売電実行部５８は、蓄電池４３に充電する際にメモリ５６に保持した蓄積記録から逆調可能電力を割り出し、この電力分を例えば電力会社等に売電する。
【００４４】
このとき、ＤＣ機器５やＡＣ機器６に電力供給を行う必要が生じた際には、図６に示すように、蓄電池４３内の太陽光発電電力Ｗｖ分を供給し、自然エネルギーを優先使用する。一方、蓄電池４３内の太陽光発電電力Ｗｖ分が残り少なくなれば、図７に示すように、蓄電池４３内の系統電力Ｗall分を電源として使用する。そして、演算制御部５５は、蓄電池４３から消費された使用電力とその使用先とを逐次把握し、メモリ５６の蓄電記録をその都度更新する。
【００４５】
また、蓄電池４３の電力が多量に消費されると、図８に示すように、蓄電池４３の電池残量が下限に近づく状態をとってしまう。ところで、蓄電池４３が持つ機能の一つとして、系統停電時のバックアップ用電源として使用する関係上、電池残量を必要最低限のレベルまで回復させておく必要がある。よって、蓄電池４３の残量が少ない場合、制御回路５３は蓄電池４３を充電する。このとき、太陽光発電電力Ｗｖを優先的に使用し、例えば夜間や天気が悪い際には、図９に示すように、系統電力Ｗallで以て蓄電池４３を充電する。
【００４６】
さて、本例においては、蓄電池４３に電力が充電される際、この充電電力Ｗｊがどの供給源からどれだけ送られてきたのかを把握するとともに、蓄電池４３が放電する際、どの供給源から得たものがどれだけ使用されたのかを把握する。よって、蓄電池４３にどの供給源から得た電力が、どれだけ蓄積されているのかを把握することが可能となる。このため、例えば蓄電池４３内の太陽光発電電力Ｗｖ分を優先使用するなどして、本例ならば太陽光等の自然エネルギーをより有効的に使用することが可能となる。
【００４７】
本実施形態の構成によれば、以下に記載の効果を得ることができる。
（１）蓄電池４３の充放電をその電力の供給源を含めて管理するので、蓄電池４３にどの供給源から得た電力が、どれだけ蓄積されているのかを把握することができる。よって、例えば蓄電池４３が放電する際に太陽光発電電力Ｗｖ分を優先使用すれば、料金を必要としない電力から優先的に消費されるので、省エネルギー化に非常に効果が高くなる。
【００４８】
（２）電力供給システム１が太陽光発電電力Ｗｖを電源として動作する際、この電力Ｗｖのうち電力供給システム１で消費されなかった余剰電力Ｗov分を売電可能とする。よって、例えば料金の安い夜間に系統２で蓄電池４３を充電し、これを料金の高い昼間に売電することが不可となるので、売ってもよい電力を正規の手続きを以て電力会社等に売電することができる。
【００４９】
（３）蓄電池４３の電力のうち太陽光発電電力Ｗｖ分を売電可能とした。このため、電力供給システム１が自ら発電した不正売買の対象とはならない電力を、電力会社が電力を欲する好適な時間帯に売電することができる。即ち、蓄電池４３に蓄電されている電力を、不正なく売電することができる。
【００５０】
（４）蓄電池４３の電力を使用する際、太陽光発電電力Ｗｖを優先して使用するようにすれば、料金がかかる系統電力Ｗallを極力使用せずに済むので、自然エネルギーを有効利用することができる。
【００５１】
（５）表示部５９に動作状態通知画面６１を表示可能としたので、蓄電池４３内にどの供給源のものがどれだけ入っているか、系統２や太陽電池３からの電力が各種機器５，６にどれだけ流れているのか、システム１の電力がどれだけ売電されているのかなどを、視覚的にユーザに通知することができる。
【００５２】
なお、実施形態はこれまでに述べた構成に限らず、以下の態様に変更してもよい。
・監視手段は、電力によって値を見る電力検出部４９〜５２に限らず、蓄電池４３に対する充電供給源とその量とを見ることができれば、どのような種のものでもよい。
【００５３】
・蓄電池４３の蓄電電力のうち、系統電力Ｗall分を売電不可としてもよい。
・電力売電は、昼夜を問わず実行可能とすることに限らず、例えば夜間の売電を不可としてもよい。
【００５４】
・自立発電電池は、太陽電池３に限定されず、例えば燃料電池としてもよい。
・蓄電池４３は、二次電池やコンデンサ等からなることに限定されず、電荷を溜めることができれば、どのような種のものを採用してもよい。
【００５５】
・電力供給システム１は、住宅に使用されることに限らず、例えば工場等の他の建物に応用してもよい。
・系統２は、交流電圧を供給する商用交流電源に限らず、直流電圧を供給するものでもよい。
【００５６】
次に、上記実施形態及び別例から把握できる技術的思想について、それらの効果とともに以下に追記する。
（イ）請求項１〜３のいずれかにおいて、前記負荷に電力線通信を介して電力及びデータを供給して、該負荷を制御する電力線通信制御部を備えた。この構成によれば、電力線通信によって負荷を制御することが可能となるので、少ない配線で負荷に電力及びデータを供給することが可能となる。
【符号の説明】
【００５７】
１…電力供給システム、２…系統としての商用交流電源、３…自立発電電池としての太陽電池、５…負荷を構成するＤＣ機器、６…負荷を構成するＡＣ機器、４３…蓄電池、４９…監視手段を構成する系統電力検出部、５０…監視手段を構成する太陽光発電電力検出部、５１…監視手段を構成する双方向ＡＣ／ＤＣ電力検出部、５２…監視手段を構成するＤＣ使用電力検出部、５４…電力供給源管理手段を構成する計測データ収集部、５５…電力供給源管理手段を構成する演算制御部、５６…電力供給源管理手段を構成するメモリ、５７…自発電力残量算出手段としての自発電力残量算出部、５８…電力逆調手段及び逆調許可手段を構成する売電実行部、Ｗｖ…発電電力としての太陽光発電電力、Ｗov…余剰電力。
【図１】
2011083058.tif 000004
【図２】
2011083058.tif 000005
【図３】
2011083058.tif 000006
【図４】
2011083058.tif 000007
【図５】
2011083058.tif 000008
【図６】
2011083058.tif 000009
【図７】
2011083058.tif 000010
【図８】
2011083058.tif 000011
【図９】
2011083058.tif 000012